(57)【要約】【課題】  波、風、潮流や干満などの自然の力で浮動し構造物に繰り返し衝突して付着物を除去、防止する付着物清掃装置の改良。【解決手段】  水中または水面における構造物の表面または周囲に配設され、自然の力で浮動し前記構造物に繰り返し接触して当該構造物の付着物を除去するとともに海生物等の付着を防止する付着物清掃装置において、前記構造物の表面または周囲に廻されるロープと、当該ロープに貫挿され自由回転する少なくとも１以上の駒とを設けて構成する。この駒はブロー成形または２〜３ピースの材料を嵌合および／または溶着して構成され、内部に空気を密閉して浮力を持たせるか、水や砂を閉じこめるか穴を開けて浮力を有さないようにする。駒の表面で構造物と接触する部分には一体成形で縦横に延在する突出部が設けられており、駒の耐久性や付着物を削ぎ落とす効果を向上させている。【選択図】図１
2006102573.tif 000002
【特許請求の範囲】
【請求項１】
水中または水面における構造物の表面または周囲に配設され、自然の力で浮動し前記構造物に繰り返し接触して当該構造物の付着物を除去するとともに海生物等の付着を防止する付着物清掃装置において、
前記構造物の表面または周囲に廻されるロープ（第１のロープ）と、当該ロープに貫挿され自由回転する少なくとも１以上の駒と、を具えることを特徴とする水中構造物の付着物清掃装置。
【請求項２】
請求項１に記載の付着物清掃装置において、前記駒の少なくとも一部が中空であることを特徴とする水中構造物の付着物清掃装置。
【請求項３】
請求項１または２に記載の付着物清掃装置において、前記第１のロープに連結され当該第１のロープとほぼ直交する方向へと延在する第２のロープと、前記第２のロープを貫挿しうる貫通口を有し水中で自由回転する少なくとも１以上の駒（第２の駒）と、を具えることを特徴とする水中構造物の付着物清掃装置。
【請求項４】
請求項３に記載の付着物清掃装置において、前記第２の駒は、内部に砂や水などの重量物を収めた密閉構造であるか、および／または、内部に水を通過させうる開口を有することを特徴とする付着物清掃装置。
【請求項５】
請求項３または４に記載の付着物清掃装置において、さらに、前記第２のロープの端部に連結され前記第１のロープとほぼ平行する第３のロープを具え、当該第３のロープに前記第２の駒が少なくとも１以上貫挿されていることを特徴とする付着物清掃装置。
【請求項６】
請求項１乃至５のいずれかに記載の付着物清掃装置において、前記ロープに２つ以上の駒が取り付けられているとともに、隣接する駒の間にそれぞれ、その内径が前記ロープより十分に大きく前記駒より小さい筒状のカラーが前記ロープに貫挿されていることを特徴とする水中構造物の付着物清掃装置。
【請求項７】
請求項１乃至６のいずれかに記載の付着物清掃装置において、前記駒が、長円形またはラグビーボール形であり、その長手方向に前記ロープを通す貫通口が延在していることを特徴とする水中構造物の付着物清掃装置。
【請求項８】
請求項１乃至７のいずれかに記載の付着物清掃装置において、前記駒の表面回転方向の少なくとも一部に突出部が形成されていることを特徴とする水中構造物の付着物清掃装置。
【請求項９】
請求項１乃至８のいずれかに記載の付着物清掃装置において、前記突出部がさらに、互いに間隔をあけて前記駒の回転方向と直交する方向に延在する複数の突条を具えることを特徴とする水中構造物の付着物清掃装置。
【請求項１０】
請求項１乃至９のいずれかに記載の付着物清掃装置において、前記駒は、ポリエチレン樹脂をブロー成形してなることを特徴とする水中構造物の附着物清掃装置。
【請求項１１】
請求項１乃至９のいずれかに記載の付着物清掃装置において、前記駒は、ポリエチレン樹脂を成形した２または３ピースからなる材料を嵌合および／または溶着して構成されていることを特徴とする水中構造物の付着物清掃装置。
【請求項１２】
請求項１乃至１１のいずれかに記載の付着物清掃装置において、前記ロープはポリエチレン等の合成繊維を寄り合わせて構成されていることを特徴とする水中構造物の付着物清掃装置。
【請求項１３】
請求項１乃至１２のいずれかに記載の付着物清掃装置において、前記第１および／または第３のロープの端部が環状に構成されており、２つの端部を重ねてボビン形状の連結具で挟んで連結する構成を有することを特徴とする水中構造物の附着物除去装置。
【発明の詳細な説明】
【技術分野】
【０００１】
本発明は付着物清掃装置に関し、特に、海中から延びる支柱などに付着した海生物を清掃し、また以降の付着を防止する付着物清掃装置に関する。
【背景技術】
【０００２】
海洋構造物の杭類に付着した海生物を除去する従来技術として、フロートで海面に浮かせた金属ワイヤで杭類を取り囲み、波の力でワイヤを付着物に接触させるようにして除去する装置がある（例えば、特許文献１）。
【０００３】
また、両端に連結用の耳を設けた中空体の外周に該中空体に対して回転可能な保護リングを設け、さらにその上にソケットリングを固定し、これらを環状に連結して杭類の周囲に廻し込み、波の力で杭類に接触させて付着物を除去する装置がある（例えば、特許文献２、特許文献３）。構造物と接触する際に保護リングとソケットリングが一体的に回転することにより、海洋構造物への衝撃を和らげて構造物および除去装置の双方の摩耗が低減し、また海洋構造物の付着物に対しては高い除去能力を発揮する。このように、構造物への接触部分が回転可能であることは除去装置の耐久性や除去能力を向上させる構造上の要件となっている。
【０００４】
これらの除去装置は、海洋構造物の杭類などの周囲に放置することで、波や潮の力により繰り返し杭類の表面に接触し、数週間で杭類に付着した海生物等が除去され、そのまま放置することにより以降の海生物の付着を防止することができる。
【特許文献１】特開平１０−２１９６５２号公報
【特許文献２】特開２０００−８３３９号公報
【特許文献３】特開２００３−１９９９８号公報
【発明の開示】
【発明が解決しようとする課題】
【０００５】
上記文献１に記載の装置では、フロートを取り付けたワイヤを鋼管杭やコンクリート杭に接触させて付着物を除去する構成であり、また当該除去装置は比較的長期に亘り放置されるものであるため、ステンレス等の金属ワイヤを用いる必要がある。しかしながら金属製のワイヤは設置後に電気化学的腐食が生じ、長期に亘る使用に耐えられないという問題がある。また一部に腐食等の破損が生じた場合にはワイヤ全体の交換が必要であり、大がかりな交換作業とコストが必要となる。さらに、金属ワイヤは硬く、その径は小さく設計されることから、例えばコンクリート杭の周りに長期に設置された場合コンクリート杭を浸食してしまい構造物の強度に問題が発生してしまう。
【０００６】
また、上記文献２、３に記載の除去装置では、連結される各中空体の外側に回転可能な保護カバーおよびソケットリングを設けており、これらは別々に用意して組み立てる必要があることから、製造コストが高くなるとともに面倒な組み立て作業が必要となる。この除去装置は複数を連結して使用するものであり、一カ所の現場に多数の装置を必要とすることから、製造コストおよび組み立て労力は膨大なものとなる。また、使用の際に複数の装置を互いにボルト・ナットで連結する構成であるが、一カ所設置するのに１５〜４０の除去装置を連結する必要があり、その労力も膨大となる。さらに、連結の際には装置両端に設けられた平板状の耳を重ねてボルト・ナットで留めつけているが、この耳に直交する方向に外力が加わった場合に力を逃がすことができず、構造的に脆くなるという問題もある。さらに、材料として軟質塩化ビニルを使用するため、廃棄焼却時に大量の有毒ガスが発生してしまうという問題もある。
【０００７】
本発明はこのような問題に鑑みてなされたものであり、製造および組み立てが簡単で、設置後に構造物への浸食がなく、効率的に付着物を清掃することができ、高い耐久性を有し、環境にも優しい付着物清掃装置を提供することを目的とする。
【課題を解決するための手段】
【０００８】
水中または水面における構造物の表面または周囲に配設され、自然の力で浮動し前記構造物に繰り返し接触して当該構造物の付着物を除去するとともに海生物等の付着を防止する付着物清掃装置において、
前記構造物の表面または周囲に廻されるロープ（第１のロープ）と、当該ロープに貫挿され自由回転する少なくとも１以上の駒と、を具えることを特徴とする。
本発明は、。
【０００９】
この付着物清掃装置において、前記駒の少なくとも一部が中空であることを特徴とする。
【００１０】
また本発明は、前記第１のロープに連結され当該第１のロープとほぼ直交する方向へと延在する第２のロープと、前記第２のロープを貫挿しうる貫通口を有し水中で自由回転する少なくとも１以上の駒（第２の駒）と、を具えることを特徴とする水中構造物の付着物清掃装置に関する。
【００１１】
この付着物清掃装置において、前記第２の駒は、内部に砂や水などの重量物を収めた密閉構造であるか、および／または、内部に水を通過させうる２以上の開口を有することを特徴とする。
【００１２】
さらに、前記第２のロープの下端部に連結され前記第１のロープとほぼほぼする第３のロープを具え、当該第３のロープに前記第２の駒が少なくとも１以上貫挿されていることを特徴とする。
【００１３】
このような構造の付着物清掃装置において、前記ロープに２つ以上の駒が取り付けられているとともに、隣接する駒の間にそれぞれ、その内径が前記ロープより十分に大きく前記駒より小さい筒状のカラーが前記ロープに貫挿されていることが有効である。
【００１４】
また、前記駒が、長円形またはラグビーボール形であり、その長手方向に前記ロープを通す貫通口が延在していることが有効である。
【００１５】
また、前記駒の表面回転方向の少なくとも一部に突出部が形成されていることが有効である。
【００１６】
また、前記突出部がさらに、互いに間隔をあけて前記駒の回転方向と直交する方向に設けられた突条を具えることが有効である。
【００１７】
前記駒は、ポリエチレン樹脂をブロー成形して構成するか、ポリエチレン樹脂を成形した２または３ピースからなる材料を嵌合および／または溶着して構成されていることが有効である。
【００１８】
前記ロープはポリエチレン等の合成繊維を寄り合わせて構成されていることが有効である。
【００１９】
また、前記第１および／または第３のロープの端部が環状に構成されており、２つの端部を重ねてボビン形状の連結具で挟んで連結する構成を有することが有効である。
【発明の効果】
【００２０】
上記のように、本発明の付着物清掃装置は水中または水面における構造物の表面または周囲に廻されるロープ（第１のロープ）と、当該ロープに貫挿され自由回転する少なくとも１以上の駒とを具える。ロープを用いることにより、金属ワイヤのような電気化学的腐食が生じることがなく、装置の耐久性が向上する。また、ロープは金属ワイヤに比して柔らかく、設置後に水中構造物を浸食するようなことがない。また、当該ロープは全方位に曲げることができ、外力が加わったときに好適に力を逃がすことができる。また、駒をロープに貫挿して駒自体を回転自在としたため、互いに連結される中空体または中実体の外側に回転可能な保護リングやソケットリングを別途設ける構造に比して安価かつ簡単に製造・組み立てを行うことができる。
【００２１】
また、前記駒の少なくとも一部を中空としたため、清掃装置に浮力を付与するためのフロートを別途設ける必要がなく、コストや組み立て労力を削減することができる。
【００２２】
別の実施例では、前記第１のロープに連結され下方へと延在する少なくとも１以上の第２のロープと、前記第２のロープを貫挿しうる貫通口を有し水中で自由回転する少なくとも１以上の駒（第２の駒）と、を具えることにより、付着物除去装置を上下方向に繋げた構成とし、例えば海底から延びる鋼管杭の広い範囲に亘り付着物の除去・防止を達成することができる。
【００２３】
この付着物清掃装置において、前記第２の駒を、内部に砂や水などの重量物を収めた密閉構造、および／または、内部に水を通過させうる２以上の開口を有するようにすると、水中に配設される駒の浮力を奪って好適に水中を浮遊させることができる。したがって、例えば鋼管杭の水面下についた付着物の除去・防止を効率的に達成することができる。
【００２４】
この付着物清掃装置において、さらに前記第２のロープの下端部に連結され前記第１のロープとほぼ並行する第３のロープを具え、当該第３のロープに前記第２の駒が少なくとも１以上貫挿する構成とすると、上下方向に延びる第２のロープが安定するとともに第３のロープに設けた駒による付着物除去・防止効果を同時に得ることができ、鋼管杭やコンクリート杭の水面下についた付着物の除去・防止効果を向上させることができる。
【００２５】
また、隣接する駒の間にそれぞれ、その内径が前記ロープより十分に大きく前記駒より小さい筒状のカラーを配置したため、当該カラーが自然の力により左右の駒にぶつかり、駒自身に海生物等が付着するのを有効に防止することができる。
【００２６】
また、前記駒を長円形またはラグビーボール形とし、その長手方向に前記ロープを通す貫通口を延在させたため、円形に構成した場合に比して海洋構造物における角部の付着物に対して有効な清掃装置を実現することができる。
【００２７】
また、前記駒の表面回転方向の少なくとも一部に突出部を形成したため、特に構造物との接触が多い部分を肉厚として装置の耐久性を向上できるとともに、突出部の角で付着物を削ぎ落とす効果を得ることができる。
【００２８】
また、前記突出部に、互いに間隔をあけて前記駒の回転方向と直交する方向に設けられた突条を設けることにより、駒が自由回転する際に突条で付着物を削ぎ落とす効果を得ることができ、構造物の付着物清掃効果を向上させることができる。
【００２９】
前記駒は、ポリエチレン樹脂をブロー成形するか、２または３ピースからなる材料を嵌合および／または溶着して構成することにより、製造および組み立てを簡単にできるとともに、廃棄燃焼させた場合の有毒ガスの発生を抑えることができる。また、使用後にはプラスチック素材としてリサイクルに回すこともできる。
【００３０】
また、前記ロープはポリエチレン等の合成繊維を寄り合わせて構成すると、軽く、柔らかく、強度が高く、所望の品質のロープを得ることができる。また、ポリエチレン樹脂はリサイクルが容易であり環境に考慮した製品を提供することができる。
【００３１】
また、前記第１および／または第３のロープの端部が環状に構成されており、２つの端部を重ねてボビン形状の連結具で挟んで連結すると、長期に亘り確実に連結することができ、装置の耐久性を向上させることができる。
【発明を実施するための最良の形態】
【００３２】
本発明に係る付着物清掃装置の実施の形態を、添付の図面を参照しながら以下に詳細に説明する。
【実施例１】
【００３３】
図１は、本発明に係る付着物清掃装置の第１実施例の構成を示す図である。図１は本実施例の装置１を海底から延びる構造杭（構造物）２の周囲に設置した状態を示し、説明のために構造物２の輪郭を一点鎖線で示している。また、図中に水面を示していないが、装置１は水面に浮いているものとする。
【００３４】
図１に示すように、付着物除去装置１は、構造物２の表面周囲に廻されるロープ１１と、当該ロープ１１を貫挿し自由回転する複数の駒１２とを具えている。ロープ１１は、装置１が構造物２の周りで波や風により自由に浮動し変形しうるよう、構造物２の外周より大きな環を形成するようその寸法が決定される。しかしながら環状に連結されたロープ１１があまりにも長いと構造物２に適度に衝突しなくなるため、ロープ１１の長さは例えば環状につなげたときに構造物２の外径より５０ｃｍ程度大きな径をなすように設定する。駒１２の数は、少なくとも１以上であり、ロープ１１に取り付けたときに自由に回転し、かつロープ１１の延在方向にも１０〜１５ｃｍ程度移動しうるよう十分に遊びを確保できる数が選択される。隣接する駒１２、１２の間には、その内径がロープ１１より十分に大きく駒１２より小さい筒状のカラー１３が配置されている。このカラー１３は弾力性のある樹脂素材で構成されており、隣接する駒１２同士のクッション材として作用するとともに駒１２自身に海生物が付着するのを防止する。
【００３５】
図２は、本実施例の駒１２の構造を示す図であり、図２（ａ）が側面図、図２（ｂ）がその断面図である。図２に示すように、駒１２は全体が長円形状であり、その前後方向の中心にロープ１１を通す貫通口１４が設けられている。しかしながら貫通口１４は駒１２の中心軸にある必要はなく、これを偏心させて設けるようにしてもよい。貫通口１４の内径はロープ１１の外径より大きく構成され、駒１２はロープ１１の周りを自由に回転することができる。本実施例の駒１２は厚さ約５ｍｍのポリエチレン樹脂を中空構造に形成してなる。ポリエチレン樹脂は耐低温性、耐衝撃性、耐薬品性、耐候性に優れ、プラスチック材料として再生することができ、燃焼してもダイオキシンが発生しないため好適に用いることができる。ある実施例において、駒１２は前後方向の長さが２２０ｍｍ、直径１６０ｍｍで構成される。
【００３６】
駒１２の表面には、装置１の耐久性を向上するとともに構造物２の付着物を有効に削ぎ落とすための突出部１５が形成されている。図２（ａ）に示すように、突出部１５は、駒１５の長手方向中央部において回転方向に延在する環状部１５ａと、当該環状部１５ａから所定間隔で前記貫通口１４と同方向に延在する複数の突条部１５ｂとを具えている。この突出部１５は駒１２と一体成形されており、駒１２の表面から約５ｍｍ程度突出している。したがって、突出部１５の部分は厚さ約１０ｍｍであり、構造杭２の付着物等と衝突することにより多少摩耗しても駒１２が破損しないよう構成されている。また、突出部１５の角はほぼ直角に構成され、駒１２が回転する際に構造物２の付着物を効果的に削ぎ落とすことができる。
【００３７】
この付着物清掃装置１の製造方法について、図３以下を用いて説明する。図３は、駒１２の製造過程を説明する図である。駒１２は、例えば図３のように長手方向中央で２分割した形状の材料をポリエチレン樹脂で成型し、これら２ピースの材料を嵌合し、および／または部材の継ぎ目を溶着して密閉構造とする。図３（ａ）に示す例では、駒１２をほぼ完全に２分割した形状に材料１２ａ、１２ｂを構成し、材料１２ｂ側の接合面に嵌合カラー１２ｃを形成し、材料１２ａ側にカラー１２ｃと嵌合する受け１２ｄを形成している。図３（ｂ）に示す例では、材料１２ｅ側に貫通口１４の全部を形成し、これと対になる材料１２ｆの対応する部分には穴１２ｇを設けている。このように構成すると、貫通口１４を２分割して形成し内側から接合するよりも、嵌合および溶着の作業が楽に行うことができる。図３（ｃ）に示す例では、一方の材料１２ｈ側に突出部１５の全部を形成し、該突出部１５の縁を接合面としている。構造物２やその付着物と衝突する頻度が最も高い突出部１５に継ぎ目を設けると使用中に継ぎ目が離れてしまう可能性があるため、このように構成して装置の耐久性を一層向上させるようにしている。
【００３８】
駒１２の製造法は上記の例に限らず、例えば突出部１５を別に製造して３ピースの材料を嵌合および／または溶着して製造することもできる。この場合、駒１２本体の表面は丁度半分の位置で接合し、その継ぎ目を覆うように突出部１５を配置して本体と溶着させる。このようにすれば駒１２本体の継ぎ目が完全に塞がれるため設置後に継ぎ目が分離してしまうようなことがなくなる。また、駒１２はブロー成形で作ることもできる。すなわち、駒１２の輪郭を形成した型内で、熱で溶かした筒状の材料（パリソン）を空気で膨らませて成形する。この方法によれば駒１２の表面に接合箇所ができないため、度重なる衝突により継ぎ目から水が入ったり材料が分離したりすることがなく、駒１２の耐久性が向上する。また複数の材料を嵌合および／または溶着するよりも簡単且つ安価に製造することができる。この場合、貫通口１４を構成する筒状体を別に用意して溶着等の手段で取り付けてもよいし、貫通口１４をそのまま駒１２本体と一体成形することも可能である。
【００３９】
次に、ロープ１１との組み立て工程について説明する。図４（ａ）に示すように、ロープ１１はその両端部が環状に構成されている。このロープ１１は、例えばポリエチレン等の合成繊維を寄り合わせてなり、漁業専用に提供されているものを用いる。しかしながら本願発明に適用するロープはこの例に限るものではなく、ナイロンやポリプロピレン等の化学素材や、綿などの天然素材、さらにはステンレス等の金属チェーン等を用いるようにしてもよい。ただし金属素材は電気化学的腐食の問題が生ずるため、短期の使用に限定するのが望ましい。両端部の環１１ａ、１１ｂの部分は、ロープの端を折り曲げ、その端部の繊維を少しほどいて合流する部分に編み込んで環を形成する。しかしながらこの環１１ａ、１１ｂの部分は、ロープの端を折り曲げてその端部を融着するようにしてもよい。
【００４０】
そして、図４（ｂ）に示すように、ロープ１１の一方の端部にプラスチック板で切り込みを設けたドーナツ形状に形成したストッパリング１７を配置し、ロープ１１の他方の端部から駒１２とカラー１３とを交互に通していく。ストッパリング１７には脱落防止のプラスチックピン１７ａがひもで連結されており、組み立て時にはこのプラスチックピン１７ａをロープの環１１ａに挿入して、ストッパリング１７が抜け落ちないようにする。このようにしてストッパリング１７はロープ１１の一方の環１１ａでせき止まるため、駒１２やカラー１３がこの部分から抜け落ちることがない。また、挿入側の環１１ｂは小さく押しつぶして駒１２の貫通口１４に挿入するようにする。
【００４１】
このようにして適宜の数の駒１２をロープ１１に貫挿したら、図４（ｃ）のようにロープ端部の環１１ａ、１１ｂを連結する。すなわち、プラスチックピン１７ａを抜き、環１１ａと１１ｂとを重ね合わせ、両側からリングプレート１８、１８で挟み、これをボルト１９およびナット２０で固定する。リングプレート１８はロープの環１１ａ、１１ｂより径の大きなものを選択し、両リングプレート１８、１８の間には内径がボルト１９より少し大きく外径がロープの環１１ａ、１１ｂより少し小さな筒状部材２１を配置するようにする。あるいは、リングプレート１８および筒状部材２１の代わりに、組み合わせるとボビン形状となる部材を用いるようにしてもよい。また、ボルト１９の先端には当該ボルト１９の直交方向にピン穴が設けられており、連結後にピン２２を挿入してボルト−ナット結合が緩まないようにする。このようにロープ１１の両端を連結すると、長期に亘り連結が解けることがない。連結後にはストッパリング１７をその切れ込みに沿ってロープ１１から外す。
【００４２】
なお、この連結構造はロープ１１の両端部を連結して装置を環状に構成する場合のみならず、例えば広い範囲に清掃装置を設置するために、複数のロープ１１（装置１）を連結して使用する場合なども同様にして連結するものとする。
【００４３】
このようにして付着物清掃装置１を水中または海中構造物、例えば鋼管杭の周りに配設する。図１のように装置１は構造物２より少し大きいサイズに構成され、各駒１２は浮力を有するため、装置１は構造物２の周りの水面で浮動する。これが風、波、潮流、干満差（潮位差）などの自然の力で浮遊し、駒１２が繰り返し構造物２の表面に衝突し、付着している海生物等が徐々に削ぎ落とされる。また、装置１が構造物２に衝突することによる振動と音を貝等の海生物が嫌がり、避難することにより付着物が少なくなる。一般に海中から延びる鋼管杭などの構造物には年間厚さ５ｃｍ程度の海生物が付着するが、数年経た状態でも本発明の清掃装置１を設置後２〜３週間で付着物が除去され、その後もそのまま放置することにより海生物の付着が防止される。
【００４４】
装置１を構成する駒１２は円筒型中央貫通式としているため構造物との接触が中央部分に集中するが、この部分に突出部１５を設けて肉厚としているため多少摩耗しても駒１２が破れるようなことがない。また突出部１５は駒１２と一体成形しており、摩耗の状況が目視できるため駒１２の交換時期が容易に把握できる。この突出部１５は縦横に出っ張りを設けて構成しているため上下すなわち回転方向の接触のみならず横方向の接触でも付着物を除去する効率がよく、さらにロープで連結しているためその動きが非常に柔軟且つ自由となり、短期間で効率よく付着物を清掃することができる。
【００４５】
また駒１２同士の間にカラー１３を配置しているため、これが駒１２の前後端部の曲面に適度に接触し、この部分に海生物等が付着することが防止される。またカラー１３は隣接する駒１２同士の衝突を防ぐクッション材としても作用し、駒１２同士の接触による損傷が防止される。さらに、上述のように駒１２の貫通口１４にロープ１１を通していき最後にロープ両端を連結すれば組み立てられるため、従来装置に比べて非常に簡単かつ安価に提供することができる。なお、予め陸上でロープ１１に駒１２を取り付け、両端部に抜け落ち防止のストッパリング１７を装着して設置場所まで運搬すると、水中での取り付け作業を短時間で完了することができる。
【００４６】
なお、上記実施例では駒１２を長円形状としているが、これを例えば円形またはラグビーボール形状としてもよい。特にラグビーボール形状とすると、角柱型のコンクリート杭の角部の付着物を好適に清掃することができる。また、駒１２を中空構造としているが、これは駒１２が水面に浮く程度の浮力を具えればこの例に限るものではない。実際は、清掃装置１を設置した場合に水面が駒１２の丁度半分の高さにあるのが望ましい。例えば一部のみを中空構造としたり、内部に水や砂を入れた状態で駒１２を密閉し浮力を調整してもよい。この場合、駒１２の邪魔にならない部分（例えば、突出部１５と貫通口１４との間の曲面部分）に密閉可能なキャップを設けた開口を設けておき、必要に応じて水や砂等を注入できるように構成してもよい。さらに、水に浮くプラスチック材料（発泡構造としたものも含む）を用いて駒１２を無垢に構成してもよい。
【実施例２】
【００４７】
図５は、本発明にかかる付着物清掃装置の第２実施例の構成を示す図である。図２に示すように、本実施例の清掃装置３０は、図１に示す装置１に加え、装置１に連結され下方に延在する複数の第２のロープ３１と、この第２のロープ３１の下端部に連結され装置１とほぼ平行に延在する第３のロープ３２と、これらロープ３１および３２に貫挿された複数の第２の駒３３とを具えている。なお、水面は図示しないが上側の装置１の位置にあり、装置１が水面に浮いておりその下の部分は水面下で浮動する構成となっている。本実施例の清掃装置３０は、例えば海中から延在する鋼管杭等の構造物２の周りに設置され、この構造物２における水面近くの付着物のみならず水面下数メートルの付着物も除去し再付着を防止するものである。
【００４８】
第２のロープ３１の上下端は環状に構成され、ここに上側の第１のロープ１１および下側の第３のロープ３２を通してこれらと連結する。縦方向に延在する第２のロープの周囲の上下側にはサクションパイプ３４が配置され、その間に３つの第２の駒３３が配置されている。連続する駒３３の間にはカラー１３が配置され、駒３３同士の衝突を防ぐとともに駒３３の端部曲面に海生物が付着しないようにしている。この駒３３は水面下において自然の力で浮動して構造物に衝突するようその浮力が調整されている他は、図１に示す第１の駒１２とほぼ同様の構成を有する。すなわち、第２の駒３３は第１の駒３３より重く構成して、設置したときに浮力で水面に浮かび上がらないようにする。これは、例えば駒３３の内部中空部分を駒１２より少なくしたり、駒３３を中実構造としたり、内部に水や砂を入れた状態で駒３３を密閉し浮力を調整したりして構成することができる。また、駒３３の邪魔にならない部分（例えば、突出部１５と貫通口１４との間の曲面部分）に密閉可能なキャップを設けた開口を設けておき、ここから水や砂、小石や砂利等を注入して浮力を調整してもよい。さらに、適宜箇所に１以上の穴を開けておき、内部に空気を蓄えずに海水が通過する構造としてもよい。その他の構成は第１の駒１２とほぼ同様であり、長円形に構成され中央貫通口１４を有し、周囲に縦横方向に延びる突出部１５を具えている。これらは第１実施例において詳細に説明されているため、本例における重複する説明を省略する。
【００４９】
第３のロープ３２は水面下で構造物１２の周りを取り囲んでおり、駒３３の構成の他は、第１の装置１とほぼ同様である。この第３のロープ３２も水面下で浮動するものであり、駒３３は浮き上がらないよう構成されている。この構成により、波や潮流の力により駒３３が構造物２に繰り返し衝突し、構造物２において水面下に付着した海生物を効果的に除去することができ、またその後も放置することにより海生物の付着を防止する。また、水面に浮かんでいる装置１の部分が波や風により浮動するとその動きが第２のロープ３１から第３のロープ３２に伝達され、水中で浮動して付着物の除去効果を発揮する。特に、縦方向に延在する第２のロープ３１の上下側にサクションパイプ３４を配置しているため、水面に浮いた第１のロープ１１の動きがダイレクトに第２のロープ３１および第３のロープ３２に伝達され、水面下でこれらが多様な動きを行って効率的に付着物を除去することができる。さらに、このサクションパイプ３４が構造物２に衝突することによる付着物の除去効果も得ることができる。
【００５０】
なお、図５の実施例では上下方向に延在する第２のロープ３１を４本設けているが、これは１本以上であれば３本以下でも５本以上でもよい。また図５の実施例では上下に２段構成の装置を示しているが、これをさらに下方に繋げて３段や４段構成のものとしてもよい。実際には、海中から延びる鋼管杭の場合、水面下２〜３ｍまでが最も付着物が多いが、水面下１２〜１３ｍまで海生物等が付着することが判明している。本実施例の装置３０によれば、水面下で複数段繋げることにより水面下１２〜１３ｍまで延在させることができる。
【００５１】
また、図５に示す実施例において下段の第３のロープ３２を除去して、第１のロープ１１から第２のロープ３１がそのまま垂れ下がる構成としてもよい。この場合、第２のロープ３１の下端部にはストッパ構造を設けて駒３３等が下方へ抜け落ちないようにする。このようにすれば、第２のロープ３１が一層自由に水中で浮動して海生物等を効果的に除去することができる。また、これとは逆に、図５に示す実施例において第１のロープ１１を除去したような構成としてもよい。すなわち、第３のロープ３２を水中に沈め、ある程度浮遊可能な状態として連結金具等で構造物２に取り付け、そこから第２のロープ３１を上方向に自由に延在させる。第２のロープ３１、あるいは第２のロープ３１と第３のロープ３２に浮力をもたせた第１の駒１２を取り付け、この浮力により第２のロープ３１が上方向に自由に浮遊するようにする。
【００５２】
上記の実施例では対象構造物として直立方向に延在する鋼管杭を用いて説明したが、これは直杭に限らず、斜杭、横梁、各支柱等、保護カバー、重防食塗装面などの周囲に延在させ、これらを痛めずに付着物を清掃し、また以降の海生物の付着を防止することができる。なお、海中で横方向に延在する横梁に本発明の清掃装置を適用する場合は、図５に示す第３のロープ３２およびこれに貫挿された第２の駒３３を単独で用いたり、図５に示す清掃装置３０において上側の第１の装置１の構成を第３のロープ３２および第２の駒３３で構成して、浮力を殺した複数段の清掃装置を構成して横梁の周囲に設置すればよいことは当業者であれば自明である。
【産業上の利用可能性】
【００５３】
本発明に係る付着物清掃装置は、自然の力により浮動する駒をポリエチレン等のロープに貫通させて連結し、構造物の周囲に設置することにより、駒が浮動して繰り返し構造物に衝突してその付着物を除去し、また以降の海生物の付着を防止する効果を奏する。この清掃装置は、例えば海洋構造物の直杭、斜杭、横梁、保護カバー、重防食塗装面などの付着物の除去および防止に適用することができる。
【図面の簡単な説明】
【００５４】
【図１】付着物清掃装置の構成を示す斜視図である（実施例１）
【図２】駒１２の構成を示す側面図および断面図である。
【図３】駒１２の製造過程を説明するための斜視図である。
【図４】付着物清掃装置の組み立て工程を説明する図である。
【図５】付着物清掃装置の構成を示す斜視図である（実施例２）
【符号の説明】
【００５５】
１、３０    付着物清掃装置
２          構造物
１１、３１、３２    ロープ
１２、３３    駒
１３        カラー
１４        貫通口
１５        突出部
１１ａ、１１ｂ    ロープの環
１７        ストッパリング
３４        サクションパイプ
【図１】
2006102573.tif 000003
【図２】
2006102573.tif 000004
【図３】
2006102573.tif 000005
【図４】
2006102573.tif 000006
【図５】
2006102573.tif 000007